(57)【要約】【課題】短時間仰臥するだけで、自然に姿勢を矯正して血液やリンパ液の循環をよくすることができる健康台を提供する。【解決手段】身体を載置する健康台本体１が、板材２と、その板材２を支持する剛性のある矩形の枠体３とで構成され、その枠体３は、鋼管５，５，６，７からなり、その健康台本体１が、身体に沿った長手方向において、その中央部が弧状に突設し、且つ該健康台本体１が身体の足元方向に下向きに傾斜しており、その健康台本体１の表面には、絶縁シート４が張設されている。【選択図】  図１
0003103820.tif 000002
【実用新案登録請求の範囲】
【請求項１】
身体を載置する健康台本体（１）が、身体に沿った長手方向において、その中央部が弧状に突設してなり、且つ該健康台本体（１）が身体の足元方向に下向きに傾斜してなることを特徴とする自然循環健康台。
【請求項２】
前記健康台本体（１）の表面に絶縁シート（４）を張設したことを特徴とする請求項１に記載の自然循環健康台。                                                                  
【考案の詳細な説明】
【技術分野】
【０００１】
本考案は、仰臥している間に自然に血液やリンパ液の循環がよくなるようにした自然循環健康台に関する。
【背景技術】
【０００２】
デスクワーク等で長時間前屈みの姿勢を続けている人や運動不足になりがちな人の中には、神経や内臓が圧迫されて神経系統や内臓の機能が低下し、また、血液やリンパ液の循環がわるくなって、肩こりや腰痛、むくみ、内臓疾患等々の症状を訴える人が多くなっている。そこで、このような症状を治癒するための健康台が各種提案されている。
【０００３】
例えば、頭部を下げて足部を持つ上げるようにしたもの（例えば、特許文献１参照）や頭部を上げて足部を下げるようにしたもの（例えば、特許文献２参照）、あるいは、活性炭・トルマリン混合剤を含む特殊なクッション材を敷設したもの（例えば、特許文献３参照）等々の健康台が提案されている。
【特許文献１】特開２００３−１９０１９９号公報
【特許文献２】特開２００２−２３８９５４号公報
【特許文献３】特開２００１−８７４０２号公報
【考案の開示】
【考案が解決しようとする課題】
【０００４】
しかし、従来の健康台は、いずれも、身体を直接支えるベッド面が平坦状（平板状）に形成されているため、姿勢そのものの矯正効果が低かった。従って、従来の健康台を使用することによって、一時的に症状の回復傾向が認められても、肝心の姿勢そのものの矯正効果が低いため、症状を根本的に治癒することはできなかった。
【０００５】
本考案は、このような実情に鑑みてなされ、短時間仰臥するだけで、自然に姿勢を矯正して血液やリンパ液の循環をよくすることができる健康台を提供することを目的とする。
【課題を解決するための手段】
【０００６】
本考案に係る自然循環健康台は、身体を載置する健康台本体１が、身体に沿った長手方向において、その中央部が弧状に突設してなり、且つ該健康台本体１が身体の足元方向に下向きに傾斜してなる。
【０００７】
このように構成される自然循環健康台に３０分乃至１時間程度仰臥すると、健康台本体１が身体に沿った長手方向において、その中央部が弧状に突設しているため、腰部が少し上方に持ち上げられた状態となり、筋肉や骨格に適度の緊張感（ストレッチ効果）が与えられ、良好な整体、整骨効果が得られ、姿勢が自然に無理なく矯正される。これにより、神経や内臓が圧迫されなくなり、神経系統や内臓の機能が活発になり、血液やリンパ液の循環がよくなる。また、健康台本体１が身体の足元方向に下向きに傾斜しているため、健康台本体１に対する体圧減少効果があり、楽に仰臥することができる。
【０００８】
このような自然循環健康台では、健康台本体１の表面に絶縁シート４を張設するのが好ましい。このようにすれば、絶縁シート４により、電磁波の人体への影響を少なくすることができる。
【考案の効果】
【０００９】
本考案に係る自然循環健康台は、健康台本体が身体に沿った長手方向において、その中央部が弧状に突設しているので、３０分乃至１時間程度仰臥すると、腰部が少し上方に持ち上げられた状態となり、筋肉や骨格に適度の緊張感が与えられ、良好な整体、整骨効果が得られ、姿勢が自然に無理なく矯正される。
【００１０】
これにより、神経や内臓が圧迫されなくなり、神経系統や内臓の機能が活発になり、血液やリンパ液の循環がよくなる。従って、末梢神経、毛細血管の働きがよくなるので、腰痛、冷え症、更年期障害、神経痛、五十肩等々に効果があり、循環器系はもとより心肺・消化器系にも効力があり、また、学習能力の向上を図ることもできる。
【００１１】
また、健康台本体が身体の足元方向に下向きに傾斜しているため、健康台本体に対する体圧減少効果があり、楽に仰臥することができる。
【考案を実施するための最良の形態】
【００１２】
以下に、本考案の最良の実施の形態に係る自然循環健康台について図面を参照しつつ詳細に説明する。
図１乃至図３は自然循環健康台を示し、図１は側面図、図２は分解組み付け図、図３は斜視図である。これらの図において、符号１は、身体を載置する健康台本体で、板材２と、その板材２を支持する枠体（フレーム）３とで構成され、その健康台本体１が、身体に沿った長手方向において、その中央部が弧状に突設し、且つ身体の足元方向に下向きに傾斜しており、その表面には厚さ１ｍｍ程度の絶縁シート４が張設されている。
【００１３】
より具体的には、板材２は、例えば、厚さ３〜９ｍｍ程度の合板からなり、枠体３は、例えば、その板材２の長手方向の両側下部に配設される鋼管５，５と、そのその両端下部に横方向に溶接により一体化される鋼管６，７とで剛性のある矩形状に形成され、その長手方向の中央部が両端より少し高くなるように弧状に湾曲している。
【００１４】
従って、この枠体３の上に、ボルトやナット等の締結部材（図示省略）によって固定される板材２は枠体３に沿って変形し、前述したように、健康台本体１が身体に沿った長手方向の中央部が弧状に突設される。なお、板材２の幅方向は平坦状になっている。そして、その両端の鋼管６，７の下には、床等の載置面に載置される台木８，９がボルトやナット等の締結部材（図示省略）によって固定されている。
【００１５】
このような自然循環健康台では、例えば、その全長Ｌは１８００〜２１００ｍｍ程度、一端１１の高さＨ１は１４０〜１６０ｍｍ程度、他端１２の高さＨ２は１００〜１１０ｍｍ程度に設定するのが好ましい（勾配≒２．３％）。なお、実施の一形態では、Ｈ１は１５０ｍｍ、Ｈ２は１０８ｍｍとしているが、健康台本体１の長手方向の一端１１を他端１２よりも３５〜４５ｍｍ高くするのが好ましい。このようにすれば、適切な体圧減少効果を得ることができ、楽に仰臥することができる。なお、一端１１が、他端１２よりも４５ｍｍを超えて高くなると、頭部への血液の循環が低下する。また、一端１１と他端１２との高さの差が３５ｍｍ未満になると、充分な体圧減少効果を得られなくなる。
【００１６】
また、枠体３の長手方向の中央部の高さｈ０は、両端１１，１２よりも１０〜２０ｍｍ高くするのが好ましい。このようにすれば、身体に適度な緊張を与えることができ、充分な整体、整骨作用が得られる。なお、枠体３の中央部が両端１１，１２より２０ｍｍを超えて高くなると、身体に過度の緊張を与え、整体、整骨作用が低下する。また、中央部と両端１１，１２の高さの差が１０ｍｍ未満であると、身体に充分な緊張感を与えることができず、また、充分な整体、整骨作用が得られない。
【００１７】
以上のように構成される自然循環健康台によれば、健康台本体１の長手方向の一端１１に枕１０を置いて３０分乃至１時間程度仰臥すると、腰部が少し上方に持ち上げられた状態となり、全身の筋肉や骨格に適度の緊張感が与えられ、良好な整体、整骨効果が得られ、姿勢が自然に無理なく矯正される。これにより、神経や内臓が圧迫されなくなり、神経系統や内臓の機能が活発になり、血液やリンパ液の循環がよくなる。また、頭部が少し持ち上げられるため、健康台本体１に対する体圧減少効果があり、楽に仰臥することができる。そして、絶縁シート４による電磁波の遮断効果もある。なお、絶縁シート４は、例えば、合成ゴム等を用いることができる。
【００１８】
なお、本考案は、実施の形態に限定されることなく、考案の趣旨を逸脱しない限度において、適宜、改良や設計変更は自由であり、例えば、鋼管５，６，７に代えて、角鋼管や軽溝型鋼等の各種型鋼等を用いてもよいのは言うまでもない。
【図面の簡単な説明】
【００１９】
【図１】本考案の実施の形態に係る自然循環健康台の側面図である。
【図２】同分解組み付け図である。
【図３】同斜視図である。
【符号の説明】
【００２０】
１…健康台本体、４…絶縁シート
【図１】
0003103820.tif 000003
【図２】
0003103820.tif 000004
【図３】
0003103820.tif 000005